(57)【要約】【課題】電解水槽は丸型にし、上蓋の中心より端に集気管孔と空気孔を開け、集気管孔には、集気管と電極が出し入れをできるようにする。集気管には切り込みや穴を開け、同一集気管内に２種類の電極が組み込まれ、拡大観察や多種類の燃料電池の実験や探求ができる事を目的とする教材用燃料電池。【解決手段】電解水槽は、丸型にし、上蓋には空気孔と集気管孔を開ける。集気管は切り込みや穴を開け、電解水槽に脱着できるようにし、ゴム栓付き電極には、２極を固定できる様にし、白金箔とステンレスの組合せとステンレスと備長炭の組合せを組み替えのできることを特徴とした教材用【選択図】  図８
2004193092.tif 000002
【特許請求の範囲】
【請求項１】
（ア）電解水槽は、丸型にし、集気管孔と空気孔を上蓋の端に穴を開ける事により水のレンズ効果で気体の発生状況を拡大して観察できる。
（イ）電解水槽内に、電極とイオン流通孔付き集気管を内蔵して実験したり、電極とイオン流通孔付き集気官２組を取り外し他の水槽でも探求実験実験できる。
、（ウ）イオン流通孔は、切り込み叉は穴を開ける。
（エ）ゴム付き電極は２極を固定し、電極の差し替え式とする。
（オ）ゴム栓付き備長炭電極は、備長炭とステンレス電極を組み合わせる。
（カ）ゴム栓付き白金箔極は、白金箔電極とステンレス電極を組み合わせ、外からガスを注にしての実験も可能にする。
以上（ア）（イ）（ウ）（エ）（オ）（カ）から構成され、電気分解・燃料電池の実験を可能にした教材用丸型燃料電池。
【発明の詳細な説明】
【０００１】
【発明が属する技術分野】
本発明は、電気分解及び燃料電池の化学実験装置に関するもので有り、イオン流通孔付き集気管を着脱及び電極の交換を可能にした教材用丸型燃料電池。
【０００２】
【従来の技術】
従来の装置は、同一集気管内に２電極の電極を有し、電極を交換する事により２種類の燃料電池実験のできるものはなかった。
【０００３】
電解水槽内にイオン流通孔付き集気管を挿入したものはなく、イオン流通は悪く、起電効率の良い実験が出来なかった。
【０００４】
イオン流通孔付き集気管の形状は、円筒型でイオンの流通を促進させる為の切り込みや穴を開けた物はなかった。
【０００５】
電解水槽は丸型で、集気管の挿入する位置を水槽の端に開けたものはなかった。
【０００６】
【発明が解決する課題】
本発明は、電解水槽を丸型にし、上蓋端に空気孔と集気管孔を開け、集気管孔には、集気管と電極を出し入れができるようにする。
集気管には切り込みや穴を開け、同一集気管内に２種類の電極を組み込み、拡大観察や多種類の燃料電池の実験や探求ができる事を目的とする。
【０００７】
【課題を解決する手段】
上記を達成するために、本発明品は電解水槽を丸型にし、上蓋の中心より端に集気管孔と空気孔を開け、集気管孔にイオン流通孔付き集気管を挿入したり、取り外して実験ができる様にする。
【０００８】
イオン流通孔付き集気管は、下の部分に切り込み叉は穴を開け、イオンの流れを良くする。
【０００９】
集気管は、付属の水槽や他の容器を利用して、切り込みを向かい合わせにしたり、方向を回転して使用できる様にする。
【００１０】
イオン流通孔付き集気管は、ゴム栓付き２種類の電極を入れ替えて使用できるようにする。
【００１１】
電極は、ゴム栓付き電極とし、ステンレス電極と備長炭電極の組合せとステンレス電極と白金箔の組合せ等の電極が固定でき、集気管に挿入して実験できるようにする。
【００１２】
【発明実施の形態】
発明の実体の実施例に基づき図面を参照して説明する。
図１において、発明の斜視図で、ゴム栓付き電極を取り付けるための丸型電解水槽の全体を示す。
丸型電解水槽（１）に、空気孔（２）及び集気管孔（３・４）の有する上蓋を装着し、イオン流通孔付き集気管（６・７）を挿入した状態を示す。
【００１３】
図２は丸型電解水槽を示す。
【００１４】
図３は丸型電解水槽の上蓋（５）と、そこに開けられた空気孔（２）と、気体流通孔（３・４）を示す。
【００１５】
図４はイオン流通孔付き集気管（６・７）と上から見たイオン流通孔付き集気管を示す。
【００１６】
図５は備長炭電極の構成を示す図で、ゴム栓付き（８・９）ステンレス極（１０・１１）と備長炭電極（１２・１３）を示す。
【０００１７】
６図は白金箔極電極及びステンレス極構成を示す図で、ゴム栓付き（８・９）白金箔極（１６・１７）とステンレス極（１４・１５）を示す。
【００１８】
図７はイオン流通孔付き集気管（３・４）の上蓋（５）を外し叉は他の容器で探求実験を示す図で、イオン流通孔付き集気管（６・７）にゴム栓付き（８・９）とステンレス電極（１０・１１）と備長炭電極（１２）・１３）を示すもので、イオン流通孔付き集気管（６・７）との間の距離を変えた実験例を示す。
【００１９】
図８はゴム栓付き電極を挿入した丸型燃料電池を示す図である。
【００２０】
図９はゴム栓付き白金箔電極を挿入した丸型燃料電池を示す図である。
【００２１】
【発明の効果】
本発明は、以上説明したように構成されているので、以下に記載するような効果を奏す。
（ア）丸型電解水槽は、丸型にし、上蓋の端に集気管孔と空気孔をを開ける事により、電極付き集気管を挿入しての実験では、気体の発生する状態を大きく拡大観察ができる。
（イ）空気孔を開けることにより、集気管に集まった気体と同量分の電解液が増加するため、水槽内の空気が排出できる。
（ウ）集気管孔が有るため、電極付き集気管を装着して実験をしたり、取り出して、他の水槽での探求実験も可能になった。
（エ）電解液を満たし、電解水槽にゴム栓付き電極を挿入する事により、空気が入らずに、集気管内に電解液を満たすことが容易になった。
（オ）集気管に切り込みや穴を開けることにより、イオンの流通を良くし、効率の良い実験ができる。
（カ）イオン付き集気管は、回転できる事により、イオンの流通効率の違いを実験できる。
（キ）ゴム栓付き電極に、２極を取り付けることにより実験範囲を広げた。
（ケ）ゴム栓付き電極に、白金箔電極とステンレス極を組合せ実験することにより、白金箔燃料電池の実験ができる。
（ケ）ゴム栓付き電極に、白金箔電極とステンレス極を組合せ実験することにより、ガスボンベや電気分解からイオン流通孔付き集気管に水素・酸素を注入して燃料電池の実験ができる。
（コ）ステンレス極と備長炭極を組み合わせる実験では、再生型燃料電池の実験ができる。
【図面の簡単な説明】
【図１】図１は、斜視図で  教材用燃料電池の水槽の全体構成を示す図である。
【図２】図２は、丸型電解水槽を示す図である。
【図３】図３は、丸型電解水槽の上蓋で、空気孔とイオン流通孔付き集気管孔をを示す図である。
【図４】図４は、イオン流通孔付き集気管を示す図である。
【図５】図５は、備長炭極の構成を示す図である。
【図６】図６は、白金箔電極の構成を示す図である。
【図７】図７は、イオン流通孔付き集気管に備長炭電極を固定し、電解水槽で探求実験の構成を示す図である。
【図８】図８は、、白金箔電極とステンレス極を取り付けた教材用燃料電池を示す使用図である。
【図９】図９は、備長炭電極とステンレス極を取り付けた教材用燃料電池を示す使用図である。
【符号の説明】
１  丸型電解液水槽
２  空気孔
３  イオン流通孔付き集気管孔
４  イオン流通孔付き集気管孔
５  上蓋
６  イオン流通孔付き集気管
７  イオン流通孔付き集気管
８  ゴム栓付き電極付き
９  ゴム栓付き電極
１０  備長炭電極用ステンレス極
１１  備長炭電極用ステンレス極
１２  備長炭極
１３  備長炭極
１４  白金箔極用ステンレス極
１５  白金箔極用ステンレス極
１６  白金箔極
１７  白箔金極
１８  他の容器
【図１】
2004193092.tif 000003
【図２】
2004193092.tif 000004
【図３】
2004193092.tif 000005
【図４】
2004193092.tif 000006
【図５】
2004193092.tif 000007
【図６】
2004193092.tif 000008
【図７】
2004193092.tif 000009
【図８】
2004193092.tif 000010
【図９】
2004193092.tif 000011